(57)【特許請求の範囲】
【請求項１】
複数の移動端末装置と、前記複数の移動端末装置と通信を行う複数の基地局装置と、前記複数の基地局装置との通信パケットの送受信を制御する通信制御装置とを備える無線通信システムであって、
前記複数の基地局装置のそれぞれは、物理的に同一のセル内の前記複数の移動端末装置と、複数の無線回線のいずれかを用いて通信パケットの送受信をそれぞれ行う少なくとも１つの送受信部を備え、
前記通信制御装置は、
各送受信部と通信を行う仮想送受信部と、
各移動端末装置を識別する移動端末識別子と、前記複数の無線回線のうち前記複数の移動端末装置が使用している使用無線回線を識別する使用無線回線識別子とを対応付ける変換テーブルを記憶する変換テーブル記憶部と、
各無線回線を識別する無線回線識別子と、前記仮想送受信部を識別する仮想送受信部識別子とを対応付ける管理テーブルを記憶する管理テーブル記憶部と、
外部から前記複数の移動端末のいずれかに宛てた通信パケットを受信し、前記変換テーブルに基づいて、前記受信した通信パケットの宛先の移動端末装置に対応した前記使用無線回線を特定する使用無線回線特定部と、
前記管理テーブルに基づいて、特定された前記使用無線回線に対応した前記仮想送受信部を特定し、特定された前記仮想送受信部に前記受信した通信パケットを供給する仮想送受信部特定部とを備え、
前記仮想送受信部は、
前記無線回線識別子と、各送受信部を識別する送受信部識別子とを対応付ける対応テーブルを記憶する対応テーブル記憶部と、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信する送受信部特定部と
を備えることを特徴とする無線通信システム。
【請求項２】
複数の移動端末装置と、前記複数の移動端末装置と通信を行う基地局装置と、前記基地局装置との通信パケットの送受信を制御する通信制御装置とを備える無線通信システムであって、
前記基地局装置は、物理的に同一のセル内の前記複数の移動端末装置と、複数の無線回線のいずれかを用いて通信パケットの送受信をそれぞれ行う複数の送受信部を備え、
前記通信制御装置は、
各送受信部と通信を行う仮想送受信部と、
各移動端末装置を識別する移動端末識別子と、前記複数の無線回線のうち前記複数の移動端末装置が使用している使用無線回線を識別する使用無線回線識別子とを対応付ける変換テーブルを記憶する変換テーブル記憶部と、
各無線回線を識別する無線回線識別子と、前記仮想送受信部を識別する仮想送受信部識別子とを対応付ける管理テーブルを記憶する管理テーブル記憶部と、
外部から前記複数の移動端末のいずれかに宛てた通信パケットを受信し、前記変換テーブルに基づいて、前記受信した通信パケットの宛先の移動端末装置に対応した前記使用無線回線を特定する使用無線回線特定部と、
前記管理テーブルに基づいて、特定された前記使用無線回線に対応した前記仮想送受信部を特定し、特定された前記仮想送受信部に前記受信した通信パケットを供給する仮想送受信部特定部とを備え、
前記仮想送受信部は、
前記無線回線識別子と、各送受信部を識別する送受信部識別子とを対応付ける対応テーブルを記憶する対応テーブル記憶部と、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信する送受信部特定部と
を備えることを特徴とする無線通信システム。
【請求項３】
物理的に同一のセル内の複数の移動端末装置と、複数の無線回線のいずれかを用いて通信パケットの送受信をそれぞれ行う少なくとも１つの送受信部を備えた複数の基地局装置との通信パケットの送受信を制御する通信制御装置であって、
各送受信部と通信を行う仮想送受信部と、
各移動端末装置を識別する移動端末識別子と、前記複数の無線回線のうち前記複数の移動端末装置が使用している使用無線回線を識別する使用無線回線識別子とを対応付ける変換テーブルを記憶する変換テーブル記憶部と、
各無線回線を識別する無線回線識別子と、前記仮想送受信部を識別する仮想送受信部識別子とを対応付ける管理テーブルを記憶する管理テーブル記憶部と、
外部から前記複数の移動端末のいずれかに宛てた通信パケットを受信し、前記変換テーブルに基づいて、前記受信した通信パケットの宛先の移動端末装置に対応した前記使用無線回線を特定する使用無線回線特定部と、
前記管理テーブルに基づいて、特定された前記使用無線回線に対応した前記仮想送受信部を特定し、特定された前記仮想送受信部に前記受信した通信パケットを供給する仮想送受信部特定部とを備え、
前記仮想送受信部は、
前記無線回線識別子と、各送受信部を識別する送受信部識別子とを対応付ける対応テーブルを記憶する対応テーブル記憶部と、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信する送受信部特定部と
を備えることを特徴とする通信制御装置。
【請求項４】
物理的に同一のセル内の複数の移動端末装置と、複数の無線回線のいずれかを用いて通信パケットの送受信をそれぞれ行う複数の送受信部を備える基地局装置との通信パケットの送受信を制御する通信制御装置であって、
各送受信部と通信を行う仮想送受信部と、
各移動端末装置を識別する移動端末識別子と、前記複数の無線回線のうち前記複数の移動端末装置が使用している使用無線回線を識別する使用無線回線識別子とを対応付ける変換テーブルを記憶する変換テーブル記憶部と、
各無線回線を識別する無線回線識別子と、前記仮想送受信部を識別する仮想送受信部識別子とを対応付ける管理テーブルを記憶する管理テーブル記憶部と、
外部から前記複数の移動端末のいずれかに宛てた通信パケットを受信し、前記変換テーブルに基づいて、前記受信した通信パケットの宛先の移動端末装置に対応した前記使用無線回線を特定する使用無線回線特定部と、
前記管理テーブルに基づいて、特定された前記使用無線回線に対応した前記仮想送受信部を特定し、特定された前記仮想送受信部に前記受信した通信パケットを供給する仮想送受信部特定部とを備え、
前記仮想送受信部は、
前記無線回線識別子と、各送受信部を識別する送受信部識別子とを対応付ける対応テーブルを記憶する対応テーブル記憶部と、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信する送受信部特定部と
を備えることを特徴とする通信制御装置。
【請求項５】
コンピュータに、物理的に同一のセル内の複数の移動端末装置と、複数の無線回線のいずれかを用いて通信パケットの送受信をそれぞれ行う少なくとも１つの送受信部を備えた複数の基地局装置のそれぞれとの通信パケットの送受信を制御させる通信制御プログラムであって、
各移動端末装置を識別する移動端末識別子と、前記複数の無線回線のうち前記複数の移動端末装置が使用している使用無線回線を識別する使用無線回線識別子とを対応付ける変換テーブルを記憶するステップと、
各無線回線を識別する無線回線識別子と、各送受信部と通信を行う仮想送受信部を識別する仮想送受信部識別子とを対応付ける管理テーブルを記憶するステップと、
外部から前記複数の移動端末のいずれかに宛てた通信パケットを受信し、前記変換テーブルに基づいて、前記受信した通信パケットの宛先の移動端末装置に対応した前記使用無線回線を特定するステップと、
前記管理テーブルに基づいて、特定された前記使用無線回線に対応した前記仮想送受信部を特定し、特定された前記仮想送受信部に前記受信した通信パケットを供給するステップと
前記無線回線識別子と、各送受信部を識別する送受信部識別子とを対応付ける対応テーブルを記憶するステップと、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信するステップと
を備えることを特徴とする通信制御プログラム。
【請求項６】
コンピュータに、物理的に同一のセル内の複数の移動端末装置と、複数の無線回線のいずれかを用いて通信パケットの送受信をそれぞれ行う複数の送受信部を備える基地局装置との通信パケットの送受信を制御させる通信制御プログラムであって、
各移動端末装置を識別する移動端末識別子と、前記複数の無線回線のうち前記複数の移動端末装置が使用している使用無線回線を識別する使用無線回線識別子とを対応付ける変換テーブルを記憶するステップと、
各無線回線を識別する無線回線識別子と、各送受信部と通信を行う仮想送受信部を識別する仮想送受信部識別子とを対応付ける管理テーブルを記憶するステップと、
外部から前記複数の移動端末のいずれかに宛てた通信パケットを受信し、前記変換テーブルに基づいて、前記受信した通信パケットの宛先の移動端末装置に対応した前記使用無線回線を特定するステップと、
前記管理テーブルに基づいて、特定された前記使用無線回線に対応した前記仮想送受信部を特定し、特定された前記仮想送受信部に前記受信した通信パケットを供給するステップと
前記仮想送受信部は、
前記無線回線識別子と、各送受信部を識別する送受信部識別子とを対応付ける対応テーブルを記憶するステップと、
前記仮想送受信部特定部から供給された前記通信パケットを取得し、前記対応テーブルに基づいて、特定された前記使用無線回線に対応した前記送受信部を特定し、特定された前記送受信部に前記通信パケットを送信するステップと
を備えることを特徴とする通信制御プログラム。
【発明の詳細な説明】
【０００１】
【発明の属する技術分野】
本発明は、収容可能な回線数を増加させた無線通信システム、通信制御装置及び通信制御プログラムに関する。
【０００２】
【従来の技術】
携帯電話装置等の移動端末装置に対するデータ通信サービスでは、回線交換型の通信サービスの他にパケット交換型の通信サービスも提供されている。
【０００３】
このようなパケット交換型の無線通信システムでは、図５に示すように、移動端末装置７０がパケット通信を行うための通信エリアは、基地局装置６０が通信サービスを提供する複数のセル６５ａ，６５ｂ，６５ｃに分割されている。
【０００４】
各セル６５ａ，６５ｂ，６５ｃに対応して複数のエリア制御部６２ａ，６２ｂ，６２ｃが設けられている。各セル６５ａ，６５ｂ，６５ｃには各々無線回線が割り当てられており、この無線回線は各エリア制御部６２ａ，６２ｂ，６２ｃが制御する。また、各々のエリア制御部６２ａ，６２ｂ，６２ｃは、対応するセル６５ａ，６５ｂ，６５ｃに対する複数の無線回線の制御を行うことができるようになっている。
【０００５】
しかしながら、エリア制御部６２ａ，６２ｂ，６２ｃが制御することができる無線回線の数（収容数）には限界があった。一方、パケット処理装置８０には、本来的に複数の基地局装置６０の基地局変復調部６１を接続することができるようになっている。
【０００６】
このため、例えば図６に示すように、物理的に同一のセル６５ａ，６５ｂ，６５ｃ（６５ｄ，６５ｅ，６５ｆ）に対して複数のエリア制御部６２ａ，６２ｂ，６２ｃ（６２ｄ，６２ｅ，６２ｆ）を設けることが考えられる。
【０００７】
これにより、物理的に同一のセル内の無線回線の数が増加する結果、通信可能な各セル６５ａ，６５ｂ，６５ｃ内の移動端末装置７０の数を増加させることができる。例えばＮ個のエリア制御部で１つのセルの無線回線を制御するようにすれば、該当セルの無線回線数はＮ倍に増加することになる。
【０００８】
【発明が解決しようとする課題】
しかしながら、単に、物理的に同一のセル６５ａ，６５ｂ，６５ｃ（６５ｄ，６５ｅ，６５ｆ）に対して複数のエリア制御部６２ａ，６２ｂ，６２ｃ（６２ｄ，６２ｅ，６２ｆ）を設けるだけでは、移動端末装置７０と基地局装置６０及びパケット処理装置８５間で、ハンドオーバー処理等の移動端末装置７０の在圏セルの管理等のために送受信されるパケットが増加し、結果的に、パケット処理装置８５の制御負荷が増加してしまう。
【０００９】
パケット処理装置８５では、各基地局変復調部６１ａ，６１ｂのエリア制御部６２ａ，６２ｂ，６２ｃ（６２ｄ，６２ｅ，６２ｆ）が各々のセル６５ａ，６５ｂ，６５ｃ，６５ｄ，６５ｅ，６５ｆに対応するため、セル６５ａ，６５ｂ，…を単位として管理することができる無線回線数は各エリア制御部６２ａ，６２ｂ，…で管理する無線回線数と同数である。
【００１０】
このため、物理的に同一のセルであっても、他のエリア制御部が管理する場合には、異なるセルとして扱う必要があり、上述のようにパケット処理装置８５の処理負荷が増加することになっていた。
【００１１】
本発明は、上述の課題に鑑みてなされたものであり、制御負荷を抑制しつつ、同一セル内で通信サービスを利用可能な移動端末装置の数の増加に寄与することができる無線通信システム、通信制御装置及び通信制御プログラムを提供することを目的とする。
【００１２】
【課題を解決するための手段】
上述の問題を解決するために、本発明に係る無線通信システムは、物理的に同一のセル内の移動端末装置に対して各々複数の無線回線の内のいずれかを用いて通信サービスを提供する複数の通信手段と、無線回線と無線回線に対応する通信手段を示す情報を保持する対応通信手段保持手段と、対応通信手段保持手段を参照して，無線回線を示す情報と共に供給された通信パケットを提供すべき通信手段を選択する選択手段とを備えることを特徴とする。
【００１３】
また、本発明に係る通信制御装置は、物理的に同一のセル内の移動端末装置に対して各々複数の無線回線の内のいずれかを用いて通信サービスを提供する複数の通信手段に対して通信パケットを提供する通信制御装置であって、無線回線と該無線回線に対応する通信手段を示す情報を保持する対応通信手段保持手段と、対応通信手段保持手段を参照して，無線回線を示す情報と共に供給された通信パケットを提供すべき通信手段を選択する選択手段とを備えることを特徴とする。
【００１４】
また、本発明に係る通信制御プログラムは、コンピュータに、物理的に同一のセル内の移動端末装置に対して各々複数の無線回線の内のいずれかを用いて通信サービスを提供する複数の通信手段に対する通信パケットの提供をさせる通信制御プログラムであって、記憶手段に無線回線と無線回線に対応する通信手段を示す情報を保持させるステップと、記憶手段を参照して，無線回線を示す情報と共に供給された通信パケットを提供すべき通信手段を選択するステップとを有することを特徴とする。
【００１５】
【発明の実施の形態】
本発明は、例えば基地局と移動端末装置との間で通信を行う無線通信システム等に適用することができる。
【００１６】
（構成）
本発明の一実施形態に係る無線通信システムは、例えば図１に示すように、データ通信サービスを提供する基地局装置１０ａ，１０ｂと、基地局装置１０ａ，１０ｂによって提供されるデータ通信サービスを利用する移動端末装置２０と、通信パケットの制御を容易にするための仮想基地局変復調装置３０と、例えばインターネット等の他のネットワークとのパケットの送受信を制御するパケット処理装置４０と、移動端末装置２０と基地局装置１０ａ，１０ｂとの間の通信に用いる通信回線の制御等を実行する無線回線制御部５０とを備えている。
【００１７】
なお、この図１中では、仮想基地局変復調装置３０をパケット処理装置４０とは別個の装置として図示しているが、例えば仮想基地局変復調装置３０をパケット処理装置４０内の機能として実装することもできる。この場合、仮想基地局変復調装置３０は、コンピュータプログラムによるソフトウェアとして実装することができる。
【００１８】
また、この図１中では、無線回線制御部５０をパケット処理装置４０とは別個の装置として図示しているが、仮想基地局変復調装置３０と同様に、例えば無線回線制御部５０をパケット処理装置４０内の機能として実装することもできる。さらに、無線回線制御部５０を、仮想基地局変復調装置３０と同様に、ソフトウェアとして実装することができる。
【００１９】
各基地局装置１０ａ，１０ｂ，…は、基地局変復調部１１ａ（１１ｂ，…）と、複数のエリア制御部１２ａ（１２ｄ，…），１２ｂ（１２ｅ，…），１２ｃ（１２ｆ，…）を備えている。基地局変復調部１１ａ（１１ｂ）は、各々エリア制御部１２ａ，１２ｂ，１２ｃ（１２ｄ，１２ｅ，１２ｆ）に対する通信パケットの振り分け等の処理を実行する。各々のエリア制御部１２ａ，１２ｂ，１２ｃは、供給された通信パケットに応じた変調出力を生成し、例えば各々異なる指向性を有するアンテナ等によって、各々異なるセル１５ａ，１５ｂ，１５ｃ内の移動端末装置２０に対してデータ通信サービスを提供するようになっている。
【００２０】
各エリア制御部１２ａ，１２ｂ，…は、例えば図２に示すように、各々例えばＦＤＭＡ（Frequency Division Multiple Access：周波数分割多元接続），ＴＤＭＡ（Time Division Multiple Access：時分割多元接続），ＣＤＭＡ（Code Division Multiple Access：符号分割多元接続）等の多重化方法によって、例えば対応するセル１５ａ，１５ｂ，…に対する複数の通信回線１６ａ１，１６ａ２，１６ｂ１，１６ｂ２を収容している。
【００２１】
なお、図１及び図２中では、２つの基地局装置１０ａ，１０ｂ内に、各々基地局変復調部１１ａ，１１ｂ及び対応するエリア制御部１２ａ，１２ｂ，１２ｃ，１２ｄ，１２ｅ，１２ｆを設けた場合について説明したが、１つの基地局装置内に複数の基地局変復調部と対応するエリア制御部を設けることもできる。
【００２２】
移動端末装置２０は、例えばパケット通信に対応した携帯電話装置，いわゆるパーソナルデジタルアシスタント（ＰＤＡ）等の携帯端末から構成されており、基地局装置１０ａ，１０ｂ，…が提供するデータ通信サービスを利用することができるようになっている。
【００２３】
この移動端末装置２０は、データ通信サービスとして、例えばＨＴＴＰサービス，メールサービスを利用することができるようになっており、このためのＷｅｂブラウザ，メーラ等の機能を備えている。
【００２４】
仮想基地局変復調装置３０は、例えば図３に示すように、仮想基地局変復調部３１と、各々の基地局装置１０ａ，１０ｂが備えるエリア制御部１２ａ，１２ｂ，１２ｃ（１２ｄ，１２ｅ，１２ｆ）の数に対応する数の仮想エリア制御部３２ａ，３２ｂ，３２ｃと、対応テーブル保持部３５に保持されている対応テーブルに応じてパケット処理装置４０からのパケットを提供する基地局装置１０ａ，１０ｂを選択する仕向制御部３６とを備えている。
【００２５】
仮想基地局変復調部３１及び仮想エリア制御部３２ａ，３２ｂ，３２ｃの入出力インタフェース（入出力の信号等の仕様）は、上述の基地局変復調部１１ａ（１１ｂ）及びエリア制御部１２ａ，１２ｂ，１２ｃと同一である。このため、パケット処理装置４０側からは、仮想基地局変復調装置３０は、１つの基地局変復調部１１ａと同一に扱うことができるようになっている。
【００２６】
対応テーブル保持部３５には、例えば仮想エリア制御部３２ａ，３２ｂ、３２ｃに対応するエントリ（エリア制御部エントリ）及び通信回線を示す情報と、エリア制御部エントリ及び通信回線毎に対応するエリア制御部１２ａ，１２ｂ，１２ｃ，…及び基地局変復調部１１ａ，１２ｂを示す情報が格納されている。
【００２７】
仕向制御部３６は、パケット処理装置４０から仮想エリア制御部と通信回線を示す情報と共に通信パケットが提供されると、対応テーブルを参照して通信パケットを提供すべき基地局変復調部１１ａ，１１ｂを選択し、選択した基地局変復調部１１ａ，１１ｂに通信パケットを提供する。
【００２８】
パケット処理装置４０は、例えば図４に示すように、ネットワークから移動端末装置２０宛てのパケットを受信する受信部４１と、変換テーブル保持部４２に保持されている変換テーブルに応じて移動端末装置２０宛てのパケットのアドレスを、例えば個々の移動端末装置２０毎に固有の端末ＩＤに変換するアドレスＩＤ変換部４３と、管理テーブル保持部４４に保持されている管理テーブルに応じてネットワークからのパケットを供給する仮想基地局変復調装置３０を選択する仕向制御部４５とを備えている。
【００２９】
ネットワークは、例えばＴＣＰ／ＩＰプロトコルによって通信を行うようになっている。ネットワーク側から見るとデータ通信を行っている移動端末装置２０には、例えば所定のＩＰアドレスが割り当てられている。一方、無線通信システム側では、個々の移動端末装置２０と基地局装置１０ａ，１０ｂの間の通信制御等には、個々の移動端末装置２０に固有な端末ＩＤが用いられている。
【００３０】
このため、変換テーブル保持部４２に保持されている変換テーブルには、データ通信を行っている移動端末装置２０のＩＰアドレスと、これに対応する端末ＩＤ等が保持されている。また、この無線通信システムでは、例えば無線回線制御部５０によって、個々の移動端末装置２０が存在しているセル（在圏セル），当該セルに対応する基地局装置１０ａ，１０ｂとの間の通信で用いられている無線回線等が管理されている。このため、この変換テーブルには、各々の移動端末装置２０の在圏セル，通信に使用している無線回線を示す情報も、ＩＰアドレスに対応させて保持されている。
【００３１】
なお、ＴＣＰ／ＩＰ以外のプロトコルを用いて通信を行うように構成してもよい。この場合、例えば端末ＩＤを用いて通信を行うプロトコルを用いることにすれば、上述のような変換テーブルを設ける必要はない。
【００３２】
また、管理テーブル保持部４４に保持されている管理テーブルには、セル１５ａ，１５ｂ，…に対応する仮想基地局変復調部３１及び仮想エリア制御部３２ａ，３２ｂ，…及び各仮想エリア制御部３２ａ，３２ｂ，…に対応する無線回線１６ａ１，１６ａ２，１６ｂ１，１６ｂ２，…が保持されている。
【００３３】
（動作）
上述のように構成された無線通信システムでは、通信を開始する際には、例えば移動端末装置２０が近くの基地局装置１０ａ，１０ｂに対して発呼要求を送信する。このような発呼要求は、無線回線制御部５０に供給される。無線回線制御部５０は、供給された発呼要求に応じて移動端末装置２０と所定の基地局装置１０ａ，１０ｂとの間の通信に対して通信回線を割り当てる。
【００３４】
このようにして通信回線を割り当てると、無線回線制御部５０は、移動端末装置２０の端末ＩＤと、当該移動端末装置２０との間の通信に割り当てた通信回線を示す情報をパケット処理装置４０の変換テーブル保持部４２に供給する。
【００３５】
通信回線が設定されると、パケット処理装置４０は、例えばネットワークとの間で用いる移動端末装置２０のＩＰアドレスを例えばＤＨＣＰ等の手順によって割り当て、変換テーブル保持部４２に保持する。
【００３６】
このように、ＩＰアドレス、端末ＩＤ、無線回線が設定されると、アドレスＩＤ変換部４３は、ネットワークから移動端末装置２０宛ての通信パケット中で指示されたＩＰアドレスに応じて端末ＩＤと無線回線を特定できるようになる。
【００３７】
この後、受信部４１がネットワークから移動端末装置２０宛ての通信パケットを受信すると、アドレスＩＤ変換部４３は、変換テーブルを参照し、端末ＩＤ，通信回線を指定する情報と共に受信した通信パケットを仕向制御部４５に供給する。
【００３８】
管理テーブル保持部４４には、予め、無線回線に対応する仮想エリア制御部３２ａ，３２ｂ，３２ｃが接続されている仮想基地局変復調部３１を示す情報が格納されている。仕向制御部４５は、アドレスＩＤ変換部４３から端末ＩＤ，通信回線を示す情報と共に通信パケットが供給されると、管理テーブル保持部４４を参照して当該通信パケットを供給すべき仮想基地局変復調部３１及び仮想エリア制御部３２ａ，３２ｂ，３２ｃを選択する。
【００３９】
仮想基地局変復調部３１等を選択すると仕向制御部４５は通信パケットと通信回線及び仮想エリア制御部３２ａ，３２ｂ，３２ｃを指示する情報を選択した仮想基地局変復調部３１に供給する。この際、少なくとも通信回線を示す情報と通信パケットを供給するようにしてもよい。
【００４０】
例えば通信回線を示す情報と通信パケットは仮想基地局変復調部３１に供給され、仮想エリア制御部３２ａ，３２ｂ，３２ｃを示す情報は仮想エリア制御部３２ａ，３２ｂ，３２ｃに供給される。仮想基地局変復調部３１は、供給された通信パケット及び通信回線を示す情報を仕向制御部３６に供給する。各仮想エリア制御部３２ａ，３２ｂ，３２ｃは、同様に、供給された情報を仕向制御部３６に供給する。
【００４１】
仕向制御部３６は、対応テーブル保持部３５に保持されている対応テーブルを参照し、供給された情報に対応する基地局変復調部１１ａ，１１ｂ、エリア制御部１２ａ，１２ｂ，…，１２ｆを選択し、選択した基地局変復調部１１ａ，１１ｂに、通信パケットを通信回線を示す情報と共に供給する。
【００４２】
各基地局変復調部１１ａ（１１ｂ）は、供給された通信パケットを通信回線を示す情報に応じて選択したエリア制御部１２ａ，１２ｂ，１２ｃ（１２ｄ，１２ｅ，１２ｆ）に供給する。各エリア制御部１２ａ，１２ｂ，１２ｃ（１２ｄ，１２ｅ，１２ｆ）は、供給された通信パケットに応じた変調出力を生成し、各々対応するセル１２ａ，１２ｂ，１２ｃ（１２ｄ，１２ｅ，１２ｆ）宛てに送信する。移動端末装置２０は、送信された信号を受信し、通信パケットを抽出する。
【００４３】
この無線通信システムでは、上述のように、物理的に同一のセルに対してデータ通信サービスを提供する複数の基地局装置１０ａ，１０ｂを備えているが、仮想基地局変復調装置３０が、パケットの仕向制御を行うことにより、パケット処理装置４０からは、１つの基地局装置に対する仕向管理と同様の手順で、パケットの仕向管理を行うだけで足りる。
【００４４】
従って、この無線通信システムでは、パケット処理装置４０の制御負荷の増加を抑制しつつ、物理的に同一のセルに対する無線回線の数を増加させることができる。これにより、同一セル内で通信サービスを利用することができる移動端末装置２０の数の増加に寄与することができる。
【００４５】
（変形例）
なお、上述の実施形態では、上述の図１に示すように、地理的に同一のセル内の移動端末装置２０に対して２つの基地局装置１０ａ，１０ｂによってデータ通信サービスを提供する場合について説明しているが、特にこれに限定されるものではなく、さらに多くの基地局装置によって地理的に同一のセル内の移動端末装置２０にデータ通信サービスを提供するようにすることもできる。
【００４６】
この場合、仮想基地局変復調装置３０において、同一のセル内の移動端末装置に対してパケット通信サービスを提供する各基地局装置に設けられたエリア制御部を論理的な１つのエリア制御部として扱うことにより、１つのセルに対してデータ通信サービスを提供するエリア制御部を任意の数（Ｎ）とすることができる。
【００４７】
また、上述の説明では、パケット処理装置４０に接続される仮想基地局変復調装置３０を１つとした場合について示したが、各々対応する基地局装置に対するパケットの仕向制御を行う複数の仮想基地局変復調装置３０をパケット処理装置４０に接続するようにしてもよい。この場合、仮想基地局変復調装置３０を１つの装置内の機能部分として設けたり、ソフトウェアによって実装することもできる。
【００４８】
【発明の効果】
本発明では、選択手段が、対応通信手段保持手段を参照して，無線回線を示す情報と共に供給された通信パケットを提供すべき通信手段を選択することにより、従来と同様の通信手段，通信パケットを供給する従来と同様のパケット制御装置を用いた場合であっても、制御負荷を抑制しつつ、同一セル内で通信サービスを利用可能な移動端末装置の数の増加に寄与することができることができる。
【図面の簡単な説明】
【図１】本発明の一実施形態に係る無線通信システムの構成を示す概略図である。
【図２】前記無線通信システムにおいて基地局装置が管理する無線回線の概略を示す図である。
【図３】前記無線通信システムを構成する仮想基地局変復調装置の構成を示すブロック図である。
【図４】前記無線通信システムを構成するパケット処理装置の構成を示すブロック図である。
【図５】従来の無線通信システムの構成を示す概略図である。
【図６】従来の無線通信システムの構成を示す概略図である。
【符号の説明】
１０ａ，１０ｂ…基地局装置
１１ａ，１１ｂ…基地局変復調部
１２ａ，１２ｂ，１２ｃ，１２ｄ，１２ｅ，１２ｆ…エリア制御部
２０…移動端末装置
３０…仮想基地局変復調装置
３１…仮想基地局変復調部
３２ａ，３２ｂ，３２ｃ…仮想エリア制御部
３５…対応テーブル保持部
３６…仕向制御部
４０…パケット処理装置
４１…受信部
４２…変換テーブル保持部
４３…アドレスＩＤ変換部
４４…管理テーブル保持部
４５…仕向制御部
【図１】
0003881201.tif 000002
【図２】
0003881201.tif 000003
【図３】
0003881201.tif 000004
【図４】
0003881201.tif 000005
【図５】
0003881201.tif 000006
【図６】
0003881201.tif 000007